(57)【要約】【課題】包装用ケースとしての機能も有してカレンダ用紙と共に焼却処理したり、あるいは、再生処理することができる強度的にも優れた卓上カレンダホルダを提供することである。【解決手段】複数枚のカレンダ用紙１を収容する扁平な角形の紙製ケース部１１の開閉可能な上面パネル１７の端縁に背面支え上部パネル１９、背面支え下部パネル２０および封緘パネル２１を順に連設し、その封緘パネル２１の端縁に連設された挿入片２３をケース部１１の背面パネル１４と底面パネル１５の連設部に設けられた第１スリット２４に挿入して、ケース部１１の背面パネル１４、背面支え上部パネル１９、背面支え下部パネル２０および封緘パネル２１でほぼ三角形の形態を形造り、その封緘パネル２１を机上に載置して、ケース部１１を傾斜状態に立て掛けるようにする。正面パネル１６に形成された切り離し線２５に沿ってその内側の窓形成パネル部２６を切り取って窓３５を形成し、卓上カレンダとする。【選択図】図１
2012056204.tif 000002
【特許請求の範囲】
【請求項１】
月毎の暦が印刷された複数枚のカレンダ用紙を収容する扁平な角形のケース部と、そのケース部を上部が後方に倒れる傾斜状の起立状態に保持する支え部とからなり、
前記ケース部が、開閉可能な上面パネルを有し、
前記支え部が、前記上面パネルの端縁に折り目線を介して一方向に順に連設された背面支え上部パネル、背面支え下部パネルおよび封緘パネルを有し、前記背面支え上部パネルが前記ケース部の背面パネルと同一の大きさとされ、前記背面支え下部パネルが前記ケース部の底面パネルと同一の大きさとされ、
前記封緘パネルの端縁に挿入片が形成され、
前記ケース部の背面パネルと底面パネルの連設部に前記挿入片が挿入される第１スリットが形成され、前記正面パネルには四角形の切り離し線が形成されて、その切り離し線の内側が窓形成パネル部とされ、その窓形成パネル部に前記挿入片が挿入可能な第２スリットが設けられ、
全体が板紙で形成された卓上カレンダホルダ。
【請求項２】
前記正面パネルには、前記第２スリットに沿って指先挿入孔が形成された請求項１に記載の卓上カレンダホルダ。
【請求項３】
月毎の暦が印刷されたカレンダ用紙とほぼ同一の大きさとされた背面パネル、前記カレンダ用紙の複数枚を重ね合わせた状態の用紙束の厚さと略同一の幅寸法とされた底面パネル、前記背面パネルと同一の大きさとされた正面パネル、前記底面パネルと同一の大きさとされた上面パネル、前記背面パネルと同一の大きさとされた背面支え上部パネル、前記底面パネルと同一の大きさとされた背面支え下部パネルおよび前記正面パネルより長さの短い封緘パネルのそれぞれが折り目線を介して一方向に連設され、前記背面パネルの両側に折り目線を介して内側面パネルが連設され、前記正面パネルの両側に折り目線を介して外側面パネルが連設され、前記封緘パネルの端縁中央部に挿入片が設けられ、前記底面パネルと背面パネル間の折り目線にはその挿入片が挿入可能な第１スリットが形成され、前記正面パネルには四角形の切り離し線が形成されて、その切り離し線の内側が窓形成パネル部とされ、その窓形成パネル部には正面パネルの表面に封緘パネルが重なり合う状態で前記挿入片が挿入可能な第２スリットが形成され、前記外側面パネルの外側に折り目線を介して差込み片が設けられ、前記背面パネルの両側の折り目線には前記差込み片が挿入可能な切込みが形成された卓上カレンダホルダ形成用のブランク。
【発明の詳細な説明】
【技術分野】
【０００１】
この発明は、暦が印刷されたカレンダ用紙の用紙束を立てかけた状態で支持する卓上カレンダホルダおよびそのホルダ形成用のブランクに関する。
【背景技術】
【０００２】
卓上カレンダホルダとして、複数枚のカレンダ用紙の用紙束を収容可能とするケース部の背部に、そのケース部を傾斜状に立て掛けた状態に保持する支え脚を設けたプラスチック製のものが知られているが、そのプラスチック製カレンダホルダにおいては、包装ケースとしての機能を有していないため、包装シートで包装し、あるいは、紙袋に収納して贈答しなければならず、経済性に問題がある。
【０００３】
また、卓上カレンダホルダの使用後の廃棄処理に際して焼却すると、有害ガスが発生するため、環境を破壊することになり、その処理が問題となる。
【０００４】
そのような問題点を解決するため、特許文献１に記載された卓上カレンダホルダにおいては、紙製として、そのホルダに包装ケースとしての機能を持たせるようにしている。
【先行技術文献】
【特許文献】
【０００５】
【特許文献１】特開２００２−１６６６８０号公報
【発明の概要】
【発明が解決しようとする課題】
【０００６】
ところで、上記特許文献１に記載された卓上カレンダホルダにおいては、カレンダ用紙の複数枚を重ね合わせた用紙束の前面両側部を左右一対の押えパネルで支持して前側への倒れを防止するようにしており、その一対の押えパネルの幅寸法が小さく、その幅寸法でもって用紙束の下面を支持する下面パネルの端縁両端部に連設した構成とされているため、一対の押えパネルおよびその押えパネルの外側に連設された細幅の溝形成パネルを折り曲げてホルダを組立てる際、押えパネルが下面パネルとの連設部位から引き裂かれる場合があり、ホルダの組立てに注意を要し、改善すべき点が残されていた。
【０００７】
また、卓上カレンダホルダの組立て状態で一対の押えパネルの上端は自由端となるため、カレンダ用紙の出し入れの際、カレンダ用紙がその自由端部に当接すると変形して、初期の組立て状態を長期にわたって維持することができず、丈夫なホルダを得る上においても改善すべき点が残されていた。
【０００８】
この発明の課題は、上記従来の卓上カレンダホルダと同様に、包装用ケースとしての機能も有してカレンダ用紙と共に焼却処理したり、あるいは、再生処理することができる強度的にも優れた卓上カレンダホルダおよびそのホルダ形成用ブランクを提供することである。
【課題を解決するための手段】
【０００９】
上記の課題を解決するために、この発明に係る卓上カレンダホルダにおいては、月毎の暦が印刷された複数枚のカレンダ用紙を収容する扁平な角形のケース部と、そのケース部を上部が後方に倒れる傾斜状の起立状態に保持する支え部とからなり、前記ケース部が、開閉可能な上面パネルを有し、前記支え部が、前記上面パネルの端縁に折り目線を介して一方向に順に連設された背面支え上部パネル、背面支え下部パネルおよび封緘パネルを有し、前記背面支え上部パネルが前記ケース部の背面パネルと同一の大きさとされ、前記背面支え下部パネルが前記ケース部の底面パネルと同一の大きさとされ、前記封緘パネルの端縁に挿入片が形成され、前記ケース部の背面パネルと底面パネルの連設部に前記挿入片が挿入される第１スリットが形成され、前記正面パネルには四角形の切り離し線が形成されて、その切り離し線の内側が窓形成パネル部とされ、その窓形成パネル部に前記挿入片が挿入可能な第２スリットが設けられ、全体が板紙で形成された構成を採用したのである。
【００１０】
上記の構成からなる卓上カレンダホルダにおいて、背面支え上部パネル、背面支え下部パネルおよび封緘パネルのそれぞれをケース部の背面パネルから底面パネルおよび正面パネルを包み込むように折り曲げて、その正面パネルの表面に封緘パネルを重ね合わせ、その封緘パネルの端縁に連設された挿入片を第２スリットに差し込むことによってカレンダ用紙の用紙束を収容する扁平な角形の包装ケースが形成される。このため、別の包装シートで包み込むことなく贈答用として客先に手渡すことができる。
【００１１】
また、包装ケースの形成状態において、第２スリットから挿入片を引抜き、封緘パネルを水平状態としてケース部の後方に位置をずらすと、背面支え上部パネルがケース部の背面パネルに対して傾斜し、そして、挿入片を第１スリットに差し込むと、背面パネル、背面支え上部パネル、背面支え下部パネルおよび封緘パネルが側面をほぼ三角形とする形態を形造り、上記封緘パネルを卓上に設置することによりケース部を傾斜状態で起立状態に保持することができる。
【００１２】
そこで、窓形成パネル部を切り離し線に沿って取り除くことにより、窓が形成されて、その窓からカレンダ用紙が露出し、卓上カレンダホルダが形成される。
【００１３】
この発明に係るホルダ形成用ブランクにおいては、月毎の暦が印刷されたカレンダ用紙とほぼ同一の大きさとされた背面パネル、前記カレンダ用紙の複数枚を重ね合わせた状態の用紙束の厚さと略同一の幅寸法とされた底面パネル、前記背面パネルと同一の大きさとされた正面パネル、前記底面パネルと同一の大きさとされた上面パネル、前記背面パネルと同一の大きさとされた背面支え上部パネル、前記底面パネルと同一の大きさとされた背面支え下部パネルおよび前記正面パネルより長さの短い封緘パネルのそれぞれが折り目線を介して一方向に連設され、前記背面パネルの両側に折り目線を介して内側面パネルが連設され、前記正面パネルの両側に折り目線を介して外側面パネルが連設され、前記封緘パネルの端縁中央部に挿入片が設けられ、前記底面パネルと背面パネル間の折り目線にはその挿入片が挿入可能な第１スリットが形成され、前記正面パネルには四角形の切り離し線が形成されて、その切り離し線の内側が窓形成パネル部とされ、その窓形成パネル部には正面パネルの表面に封緘パネルが重なり合う状態で前記挿入片が挿入可能な第２スリットが形成され、前記外側面パネルの外側に折り目線を介して差込み片が設けられ、前記背面パネルの両側の折り目線には前記差込み片が挿入可能な切込みが形成された構成を採用したのである。
【００１４】
上記の構成からなるブランクにおいて、正面パネルの両側に連設された外側面パネルおよび背面パネルの両側に連設された内側面パネルのそれぞれを背面側に９０°折り曲げた後、正面パネルと底面パネル間に形成された折り目線および底面パネルと背面パネル間に形成された折り目線のそれぞれを山折とすると、正面パネルと背面パネルが前後で対向し、内側面パネルの表面に外側面パネルが重なり合う。その状態で差込み片を折り曲げて切込みに差し込むことによって扁平な角形のケース部が形成される。
【００１５】
ケース部の形成後、そのケース部の上側開口から内部に複数枚のカレンダ用紙を重ね合わせた用紙束を挿入し、上面パネルをケース部の上側開口を閉じる方向に折曲げ、背面支え上部パネル、背面支え下部パネルおよび封緘パネルのそれぞれをケース部の背面パネルから底面パネルおよび正面パネルを包み込むように折り曲げて、その正面パネルの表面に封緘パネルを重ね合わせ、その封緘パネルの端縁に連設された挿入片を第２スリットに差し込むことにより、カレンダ用紙の用紙束を収容する扁平な角形の包装ケースを形成することができる。
【００１６】
卓上カレンダホルダの形成に際しては、上記と同様に、第２スリットから挿入片を引抜き、封緘パネルを水平状態としてケース部の底面パネルに沿って後方に位置をずらし、挿入片を第１スリットに差し込んで背面パネル、背面支え上部パネル、背面支え下部パネルおよび封緘パネルが側面をほぼ三角形とする形態を形造る状態において、窓形成パネル部を切り離し線に沿って切断して取り除くようにする。
【発明の効果】
【００１７】
この発明においては、挿入片を第２スリットに挿入することによって包装ケースが形成されるため、贈答の際に包装シートで包装する必要がなく、経済的である。
【００１８】
また、挿入片を背面パネルと底面パネルの連設部に形成された第１スリットに挿入することによってケース部の背面パネル、背面支え上部パネル、背面支え下部パネルおよび封緘パネルがほぼ三角形の形態を形造り、その封緘パネルを机上に載置することによってケース部を傾斜状態に安定よく立て掛けておくことができる。
【００１９】
さらに、窓形成パネル部をその周囲の切り離し線に沿って切り離して、カレンダ用紙を露出させる窓を形成するようにしたことによって正面パネルは四辺形の枠状をなし、その外周の四辺に上面パネル、底面パネルおよび左右一対の外側面パネルが連設された状態にあるため、強度的に優れた極めて丈夫なカレンダホルダを得ることができる。
【００２０】
また、カレンダホルダは板紙からなるため、カレンダ用紙と共に焼却処理したり、あるいは、再生処理することができる。
【図面の簡単な説明】
【００２１】
【図１】この発明に係る卓上カレンダホルダの実施の形態を示す斜視図
【図２】図１に示すカレンダホルダの使用状態を示す斜視図
【図３】(I)は、図２の縦断面図、(II)は、他の使用状態を示す縦断面図
【図４】図１に示す卓上カレンダホルダの形成用ブランクを示す展開図
【図５】卓上カレンダホルダの形成途中の状態を示す斜視図
【図６】ケース部の形成状態を示す斜視図
【図７】包装ケースが形成される直前の状態を示す斜視図
【図８】包装ケースの形成状態を示す斜視図
【発明を実施するための形態】
【００２２】
以下、この発明の実施の形態を図面に基づいて説明する。図１乃至図３(I)に示すように、卓上カレンダは、月毎の暦が印刷された複数枚のカレンダ用紙１と、そのカレンダ用紙１が互いに重ね合わされた用紙束を保持するカレンダホルダ１０とからなる。
【００２３】
カレンダ用紙１は、植物性インキにより一月分毎の暦が印刷された１２枚を一組とするものであってもよく、二月分の暦が印刷された６枚を一組とするものであってもよい。
【００２４】
カレンダホルダ１０は、複数枚の矩形状のカレンダ用紙１を重ね合わせた状態の用紙束Ａを収容する扁平な角形のケース部１１と、そのケース部１１を上部が後方に倒れる傾斜状の起立状態に保持する支え部１２とからなり、図４に示すブランク１３の折曲げにより形成される。
【００２５】
ブランク１３は板紙からなる。このブランク１３には、ケース部１１を形成する背面パネル１４、底面パネル１５、正面パネル１６、上面パネル１７が折り目線１８を介して一方向に順に連設され、また、上記上面パネル１７の端縁には支え部１２を形成する背面支え上部パネル１９、背面支え下部パネル２０、封緘パネル２１が折り目線２２を介して一方向に順に連設されて、それぞれのパネルの両側縁間の幅寸法は同一とされている。
【００２６】
背面パネル１４、正面パネル１６および背面支え上部パネル１９のそれぞれは、カレンダ用紙１より少し大きな矩形状をなして同一の大きさとされている。一方、底面パネル１５、上面パネル１７および背面支え下部パネル２０は、互いに重ね合わせた複数枚のカレンダ用紙１の用紙束Ａの厚さより少し大きな矩形状をなして同一の大きさとされている。
【００２７】
また、封緘パネル２１は、正面パネル１６の両端縁間より長さの短い矩形状とされ、その端縁の中央部にはほぼ半円形の挿入片２３が連設されている。この挿入片２３は、背面パネル１４と底面パネル１５間の折り目線１８および底面パネル１５と正面パネル１６間の折り目線１８に沿って形成された第１スリット２４に対して挿入可能とされている。
【００２８】
正面パネル１６には四角形の切り離し線２５が形成されて、その切り離し線２５の内側が窓形成パネル部２６とされ、その窓形成パネル部２６には正面パネル１６の表面に封緘パネルが２１が重なり合う状態で封緘パネル２１の挿入片２３が挿入可能な第２スリット２７ａと、その第２スリット２７ａに沿って指先挿入孔２７ｂが形成されている。
【００２９】
背面パネル１４の両側には折り目線２８を介して内側面パネル２９が連設され、一方、正面パネル１６の両側には折り目線３０を介して外側面パネル３１が連設されている。
【００３０】
内側面パネル２９および外側面パネル３１は、底面パネル１５とほぼ同一の大きさとされ、上記外側面パネル３１の側縁に一対の差込み片３２が折り目線３３を介して連設されて長さ方向に間隔をおいて設けられ、これらの差込み片３２は、背面パネル１４の両側に位置する折り目線２８に沿って形成された切込み３４に対して挿入可能とされている。
【００３１】
上記の構成からなるブランク１３において、正面パネル１６の両側に連設された外側面パネル３１および背面パネル１４の両側に連設された内側面パネル２９のそれぞれを背面側に９０°折り曲げた後、図５に示すように、正面パネル１６と底面パネル１５間に形成された折り目線１８を山折りし、かつ、底面パネル１５と背面パネル１４間に形成された折り目線１８を山折とすると、図６に示すように、正面パネル１６と背面パネル１４が前後で対向し、内側面パネル２９の表面に外側面パネル３１が重なり合う。その状態で差込み片３２を折り曲げて切込み３４に差し込むことによって扁平な角形のケース部１１が形成される。
【００３２】
ケース部１１の形成後、そのケース部１１の上側開口から内部に複数枚のカレンダ用紙１を重ね合わせた用紙束Ａを挿入し、上面パネル１７をケース部１１の上側開口を閉じる方向に折曲げ、図７および図８に示すように、背面支え上部パネル１９、背面支え下部パネル２０および封緘パネル２１のそれぞれをケース部１１の背面パネル１４から底面パネル１５および正面パネル１６を包み込むように折り曲げて、その正面パネル１６の表面に封緘パネル２１を重ね合わせ、その封緘パネル２１の端縁に連設された挿入片２３を第２スリット２７ａに差し込むことによって、カレンダ用紙１の用紙束Ａを収容する扁平な角形の包装ケースＫを形成することができる。
【００３３】
図８に示すような包装ケースＫの形成後、第２スリット２７ａから挿入片２３を引抜き、図７に示すように、封緘パネル２１を水平状態としてケース部１１の底面パネル１５に沿って後方に位置をずらし、挿入片２３を第１スリット２４に差し込むと、図１に示すように、背面パネル１４、背面支え上部パネル１９、背面支え下部パネル２０および封緘パネル２１が側面をほぼ三角とする形態を形造って、背面支え上部パネル１９、背面支え下部パネル２０および封緘パネル２１により支え部１２が形成され、上記封緘パネル２１を卓上に設置することによりケース部１１を傾斜状態で起立状態に保持することができる。
【００３４】
ここで、正面パネル１６に形成された切り離し線２５に沿って切断して窓形成パネル部２６を取り除くことにより、図２に示すように、正面パネル１６に窓３５が形成され、卓上カレンダホルダ１０を形成することができる。
【００３５】
ここで、正面パネル１６には、第２スリット２７ａに沿って指先挿入孔２７ｂが形成されているため、その指先挿入孔２７ｂに指先を挿入することにより、第２スリット２７ａの周囲部を摘み持つことができるため、窓形成パネル部２６を簡単に取り除くことができる。
【００３６】
図３（I）では、底面パネル１５の両端の一対の折り目線１８のそれぞれに沿って形成された一対の第１スリット２４のそれぞれに挿入片２３を差し込んで支え部１２を形成するようにしたが、図３（II）に示すように、背面パネル１４と底面パネル１５間の折り目線１８に沿って形成された第１スリット２４にのみ挿入片２３を挿入して、その挿入片２３を背面パネル１４の内面に沿って折り曲げるようにしてもよい。
【００３７】
実施の形態で示す卓上カレンダにおいては、上記のように、挿入片２３を第２スリット２７ａに挿入することによって図８に示す包装ケースＫが形成されるため、贈答の際に包装シートで包装し、あるいは、紙袋に収納することなく贈答品とすることができ、包装シートや紙袋を不要とし得る分、経済的である。
【００３８】
また、挿入片２３を背面パネル１４と底面パネル１５の連設部に形成された第１スリットに挿入することによってケース部１１の背面パネル１４、背面支え上部パネル１９、背面支え下部パネル２０および封緘パネル２１がほぼ三角形の形態を形造るため、その封緘パネル２１を机上に載置することによってケース部１１を傾斜状態に安定よく立て掛けておくことができる。
【００３９】
さらに、窓形成パネル部２６をその周囲の切り離し線２５に沿って切り離して、カレンダ用紙１を露出させる窓３５を形成するようにしたことによって正面パネル１６は四辺形の枠状をなし、その外周の四辺に上面パネル１７、底面パネル１５および左右一対の外側面パネル３１が連設された状態にあるため、強度的に優れた極めて丈夫なカレンダホルダ１０を得ることができる。
【符号の説明】
【００４０】
Ａ      用紙束
１      カレンダ用紙
１１    ケース部
１２    支え部
１４    背面パネル
１５    底面パネル
１６    正面パネル
１７    上面パネル
１８    折り目線
１９    背面支え上部パネル
２０    背面支え下部パネル
２１    封緘パネル
２２    折り目線
２３    挿入片
２４    第１スリット
２５    切り離し線
２６    窓形成パネル部
２７ａ  第２スリット
２７ｂ  指先挿入孔
２８    折り目線
２９    内側面パネル
３０    折り目線
３１    外側面パネル
３２    差込み片
３３    折り目線
３４    切込み
３５    窓
【図１】
2012056204.tif 000003
【図２】
2012056204.tif 000004
【図３】
2012056204.tif 000005
【図４】
2012056204.tif 000006
【図５】
2012056204.tif 000007
【図６】
2012056204.tif 000008
【図７】
2012056204.tif 000009
【図８】
2012056204.tif 000010